(57)【要約】【課題】緊急・非常事態発生時における利便性を向上させることができるようにする。【解決手段】本発明に係る情報処理装置に適用可能な携帯電話機１においては、主制御部３１は携帯電話機１の位置情報を取得し、取得された位置情報のうちの所定の位置情報を、携帯電話機１の現在地を低精度に示す低精度位置情報に設定し、予め記憶されているメール送信先情報と送信メールテキスト情報、および設定された低精度位置情報とに基づいて第１のメールを作成し、変復調回路部３９、送受信回路部４３、アンテナ４４を制御し、作成された第１のメールを他の情報処理装置に送信する。【選択図】  図４
2008172453.tif 000002
【特許請求の範囲】
【請求項１】
情報処理装置の位置情報を取得する取得手段と、
前記取得手段により取得された前記位置情報のうちの所定の位置情報を、前記情報処理装置の現在地を低精度に示す低精度位置情報に設定する第１の設定手段と、
予め記憶されているメール送信先情報と送信メールテキスト情報、および前記第１の設定手段により設定された前記低精度位置情報とに基づいて、第１のメールを作成する第１の作成手段と、
前記第１の作成手段により作成された前記第１のメールを他の情報処理装置に送信する第１の送信手段とを備えることを特徴とする情報処理装置。
【請求項２】
前記取得手段により予め設定された所定の時間以内に取得されたＧＰＳ測位に基づく位置情報が存在する否かを判定する判定手段をさらに備え、
前記判定手段により、前記取得手段により予め設定された所定の時間以内に取得されたＧＰＳ測位に基づく位置情報が存在すると判定された場合、前記第１の設定手段は、前記位置情報を前記低精度位置情報に設定し、
前記判定手段により、前記取得手段により予め設定された所定の時間以内に取得されたＧＰＳ測位に基づく位置情報が存在しないと判定された場合、前記第１の設定手段は、基地局の位置を示す基地局位置情報を前記低精度位置情報に設定することを特徴とする請求項１に記載の情報処理装置。
【請求項３】
緊急・非常事態発生報知処理を開始するとの指示が受け付けられた後に、前記取得手段により取得されたＧＰＳ測位に基づく位置情報を、前記情報処理装置の現在地を高精度に示す高精度位置情報に設定する第２の設定手段と、
予め記憶されているメール送信先情報と送信メールテキスト情報、および前記第２の設定手段により設定された前記高精度位置情報とに基づいて、第２のメールを作成する第２の作成手段と、
前記第２の作成手段により作成された前記第２のメールを他の情報処理装置に送信する第２の送信手段とをさらに備えることを特徴する請求項１に記載の情報処理装置。
【請求項４】
緊急・非常事態発生報知処理を開始するとの指示が受け付けられたとき、前記取得手段によりＧＰＳ測位に基づく位置情報を取得中であるか否かを判定する判定手段と、
前記判定手段により、緊急・非常事態発生報知処理を開始するとの指示が受け付けられたとき、前記取得手段によりＧＰＳ測位に基づく位置情報を取得中ではないと判定された場合、前記取得手段によるＧＰＳ測位に基づく位置情報の取得処理を開始し、
前記判定手段により、緊急・非常事態発生報知処理を開始するとの指示が受け付けられたとき、前記取得手段によりＧＰＳ測位に基づく位置情報を取得中であると判定された場合、前記取得手段によるＧＰＳ測位に基づく位置情報の取得処理を継続するように制御する制御手段とをさらに備えることを特徴とする請求項１に記載の情報処理装置。
【発明の詳細な説明】
【技術分野】
【０００１】
本発明は情報処理装置に係り、特に、緊急・非常事態発生時に、現在地の位置情報を送信することができるようにした情報処理装置に関する。
【背景技術】
【０００２】
近年、子供などを狙った略取誘拐などの犯罪が増加しており、子供をこれらの犯罪から未然に守るために、例えば子供向け携帯電話などの種々の防犯機能が搭載された携帯電話機が提案されている（例えば特許文献１参照）。
【０００３】
特許文献１に提案されている技術によれば、音声などを特定する録音ボタンを操作することなく自動的に連続して音声と位置などを関連付けて記録することができ、ユーザの指示に基づいて、これらの音声などに関する情報を遠隔地の記憶装置に送信することができる。
【特許文献１】特開２００３−２４９９８１号公報
【発明の開示】
【発明が解決しようとする課題】
【０００４】
しかしながら、従来の技術では、緊急・非常事態発生時に現在地の位置情報をメールにより送信することはできるが、その前提としてまず、緊急・非常事態が発生している現在地の位置情報を何らかの方法で取得しなければならない。
【０００５】
ところが、緊急・非常事態が発生してから、ユーザの指示に基づいて何らかの位置情報を取得しようとすると、位置情報を取得するのに多くの時間がかかってしまい、緊急・非常事態が発生したときに直ちに現在地の位置情報をメールにより送信することができないという課題があった。
【０００６】
その結果、ユーザは、例えば遠隔地にいる親や友人などに、緊急・非常事態が現在発生していることを直ちに通知することができない。
【０００７】
このような課題は、特許文献１に提案されている技術では、解決することはできない。
【０００８】
本発明は、このような状況に鑑みてなされたものであり、緊急・非常事態発生時における利便性を向上させることができる情報処理装置を提供することを目的とする。
【課題を解決するための手段】
【０００９】
本発明の情報処理装置は、上述した課題を解決するために、情報処理装置の位置情報を取得する取得手段と、取得手段により取得された位置情報のうちの所定の位置情報を、情報処理装置の現在地を低精度に示す低精度位置情報に設定する第１の設定手段と、予め記憶されているメール送信先情報と送信メールテキスト情報、および第１の設定手段により設定された低精度位置情報とに基づいて、第１のメールを作成する第１の作成手段と、第１の作成手段により作成された第１のメールを他の情報処理装置に送信する第１の送信手段とを備えることを特徴とする。
【００１０】
本発明の情報処理装置は、上述した課題を解決するために、情報処理装置の位置情報が取得され、取得された位置情報のうちの所定の位置情報が、情報処理装置の現在地を低精度に示す低精度位置情報に設定され、予め記憶されているメール送信先情報と送信メールテキスト情報、および設定された低精度位置情報とに基づいて、第１のメールが作成され、作成された第１のメールが他の情報処理装置に送信される。
【発明の効果】
【００１１】
本発明によれば、緊急・非常事態発生時における利便性を向上させることができる。
【発明を実施するための最良の形態】
【００１２】
以下、本発明の実施の形態について、図面を参照しながら説明する。
【００１３】
図１は、本発明に係る情報処理装置として適用可能な携帯電話機１の外観の構成を表している。なお、図１［Ａ］は、携帯電話機１を約１８０度に見開いたときの正面から見た外観の構成を表しており、図２［Ｂ］は、携帯電話機１を見開いたときの側面から見た外観の構成を表している。
【００１４】
図１［Ａ］および［Ｂ］に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図４のアンテナ４４）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１８】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００１９】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２０】
なお、第１の筐体１２は、背面側に図示しないバッテリパックが挿着されており、終話・電源キーがオン状態になると、バッテリパックから各回路部に対して電力が供給されて動作可能な状態に起動する。
【００２１】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図４のメモリカード４６）に記憶されているコンテンツを表示することができる。
【００２２】
また、液晶ディスプレイ１７の上部の所定の位置にはスピーカ１８が設けられており、これにより、ユーザは音声通話することが可能である。
【００２３】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２［Ａ］は、携帯電話機１を閉じたときの正面から見た外観の構成を表しており、図２［Ｂ］は、携帯電話機１を閉じたときの側面から見た外観の構成を表している。
【００２４】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２５】
図３は、本発明に係る情報処理装置として適用可能な携帯電話機１の他の外観の構成を表している。図３の携帯電話機１の状態は、図１の携帯電話機１の状態から矢印Ｘ方向に回動させた状態であり、図３［Ａ］および［Ｂ］は、携帯電話機１を閉じたときの背面から見た外観の構成を表している。
【００２６】
図３［Ａ］に示されるように、第１筐体１２の所定の位置には、緊急・非常事態発生時に、図示せぬ防犯用報知音発生部により防犯用報知音（すなわち、防犯ブザー）の発生など（図示せぬＬＥＤ（Light Emitting Diode）などにより防犯用報知ライトの点滅を含む）を開始させるための緊急用スイッチ２２が上下方向に着脱可能に設けられている。
【００２７】
例えば緊急・非常事態発生時に図示せぬ防犯用報知音発生部により防犯用報知音の発生などを開始させる場合、ユーザは、この緊急用スイッチ２２を矢印Ｘ方向にスライドさせて引き下げることで、緊急用スイッチ２２を取り外し、緊急・非常事態発生時に図示せぬ防犯用報知音発生部により防犯用報知音の発生などを開始させることができる。なお、図３［Ｂ］に示されるように、この緊急用スイッチ２２は、ユーザにより矢印Ｙ方向にスライドされて引き上げられることで、第２の筐体１３に装着されて元の位置に戻る。
【００２８】
勿論、このような着脱形式の緊急用スイッチ２２以外にも、ストラップを引き抜くことにより図示せぬ防犯用報知音発生部により防犯用報知音（すなわち、防犯ブザー）の発生などを開始させるストラップ形式の緊急用スイッチ２２を用いるようにしてもよいし、その他のスライド形式の緊急用スイッチ２２などを用いるようにしてもよい。
【００２９】
図４は、本発明に係る情報処理装置として適用可能な携帯電話機１の内部の構成を表している。
【００３０】
図４に示されるように、携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、およびＧＰＳ受信部４９がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３１】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３２】
なお、主制御部３１には、現在の日付と時刻を正確に計測するタイマが内蔵されている。
【００３３】
携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００３４】
また、携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００３５】
さらに、携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００３６】
これに対して携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００３７】
その後携帯電話機１は、ユーザの操作に応じて受信した電子メールを記録再生部４５を介してメモリカード４６に記録することも可能である。
【００３８】
携帯電話機１は、画像信号を送信しない場合には、ＣＣＤカメラ２０で撮像した画像信号をカメラインタフェース部３５及びＬＣＤ制御部３６を介して液晶ディスプレイ１７に直接表示する。
【００３９】
携帯電話機１は、データ通信モード時に画像信号を送信する場合、ＣＣＤカメラ２０で撮像された画像信号をカメラインタフェース部３５を介して画像エンコーダ３４に供給する。
【００４０】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機１は、ＣＣＤカメラ２０で撮像中にマイクロフォン１５で集音した音声を音声コーデック４０を介してディジタルの音声信号として多重分離部３８に送出する。
【００４１】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４２】
これに対して、携帯電話機１では、データ通信モード時に、Ｗｅｂページのデータを受信することができる。
【００４３】
すなわち、携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００４４】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００４５】
また、携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００４６】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００４７】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機１は、受信したＷｅｂページなどにリンクされたデータをユーザの操作により記録再生部４５を介してメモリカード４６に記録することが可能である。
【００４８】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００４９】
音楽制御部４８は、記憶部４７に記憶されているオーディオデータの再生動作および一時停止動作や、巻戻し機能、早送り機能、音量ダウン動作、音量アップ動作などの実行を制御する。
【００５０】
ＧＰＳ受信部４９は、図示せぬＧＰＳ衛星からのＧＰＳ波（ＧＰＳ情報）を受信する。このＧＰＳ情報には、例えばそれぞれのＧＰＳ衛星からの発信時刻情報が含まれている。その後、主制御部３１においては、取得されたＧＰＳ情報を用いて、携帯電話機１の現在地を示す位置情報（緯度経度の情報）が計算され（例えば３つ乃至４つのＧＰＳ情報から計算することが望ましい）、携帯電話機１の現在地を示す位置情報が求められる。なお、このＧＰＳ情報に基づいて求められる位置情報として、緯度経度を取得することが一般的であるが、更に緯度経度に対応した住所情報を取得するようにしてもよい。緯度経度や、緯度経度に対応した住所情報を取得する際には、外部のサーバ（図示せず）などにアクセスして住所情報を得るようにしてもよい。従って、「位置情報」とはＧＰＳ情報から計算された位置情報（例えば緯度経度情報）や、その情報に対応する住所情報などの情報も含むものとする。
【００５１】
次に、図５のフローチャートを参照して、図４の携帯電話機１におけるメール送信処理について説明する。このメール送信処理は、緊急・非常事態発生時に、例えばユーザにより第１の筐体１２の所定の位置に設けられた緊急用スイッチ２２がスライドされて引き下げられることで取り外されることにより、あるいは、操作キー１４が操作されることにより、緊急・非常事態発生報知処理を開始するとの指示が受け付けられることで、開始される。
【００５２】
ステップＳ１において、主制御部３１は、操作入力制御部３３を介して、ユーザにより第１の筐体１２の所定の位置に設けられた緊急用スイッチ２２が所定の量だけスライドされて引き下げられることで取り外されることにより、あるいは、操作キー１４が操作されることにより、緊急・非常事態発生報知処理（例えば図示せぬ防犯用報知音による防犯用報知音の発生処理や、図示せぬＬＥＤによる防犯用報知ライトの点滅処理など）を開始するとの指示が受け付けられたか否かを判定し、緊急・非常事態発生報知処理を開始するとの指示が受け付けられたと判定するまで待機する。
【００５３】
ステップＳ１において緊急・非常事態発生報知処理を開始するとの指示が受け付けられたと判定された場合、主制御部３１はステップＳ２で、図示せぬＧＰＳ衛星からＧＰＳ情報（ＧＰＳ波）を受信し、受信されたＧＰＳ情報を用いることで携帯電話機１の現在地を示す位置情報、すなわち、ＧＰＳ測位に基づく位置情報を現在取得中であるか否かを判定する。
【００５４】
すなわち、緊急・非常事態発生時において、ユーザにより操作キー１４が操作されることによって別の目的（例えば移動先を調べるためなどの目的など）で、すでにＧＰＳ衛星（図示せず）からＧＰＳ情報を受信し、受信されたＧＰＳ情報を用いることで携帯電話機１の現在地を示す位置情報（すなわち、ＧＰＳ測位に基づく位置情報）を現在取得中であるか否かが判定される。
【００５５】
ステップＳ２において図示せぬＧＰＳ衛星からＧＰＳ情報（ＧＰＳ波）を受信し、受信されたＧＰＳ情報を用いることで携帯電話機１の現在地を示す位置情報（すなわち、ＧＰＳ測位に基づく位置情報）を現在取得中であると判定された場合、主制御部３１はステップＳ３で、現在実行されているＧＰＳ測位に基づく位置情報の取得処理をキャンセルせずに継続する。これにより、いち早く、携帯電話機１の現在地の位置情報（すなわち、ＧＰＳ測位に基づく位置情報）を取得することができる。
【００５６】
ステップＳ２において図示せぬＧＰＳ衛星からＧＰＳ情報（ＧＰＳ波）を受信し、受信されたＧＰＳ情報を用いることで携帯電話機１の現在地を示す位置情報（すなわち、ＧＰＳ測位に基づく位置情報）を現在取得中ではないと判定された場合、主制御部３１はステップＳ４で、ＧＰＳ受信部４９を起動し、ＧＰＳ測位に基づく位置情報の取得処理を開始する。これにより、図示せぬＧＰＳ衛星からＧＰＳ情報（ＧＰＳ波）の受信処理が開始されることでＧＰＳ測位に基づく位置情報の取得処理が開始される。
【００５７】
ステップＳ５において、主制御部３１は、記憶部４７に記憶されているＧＰＳ測位に基づく位置情報の取得履歴である位置情報取得履歴を読み出す。なお、一般に、ユーザにより例えば移動先を調べるためなどの目的でＧＰＳ測位に基づく位置情報の取得処理を実行するとの指示がなされると、取得されたＧＰＳ測位に基づく位置情報は記憶部４７に記憶されている位置情報取得履歴に適宜登録される。これにより、位置情報取得履歴は、適宜、更新される。
【００５８】
ステップＳ６において、主制御部３１は、読み出された位置情報取得履歴を参照して、現在の時刻から遡って予め設定された所定の時間以内（例えば３０分以内など）に取得されたＧＰＳ測位に基づく位置情報が存在するか否かを判定する。
【００５９】
ステップＳ６において現在の時刻から遡って予め設定された所定の時間以内（例えば３０分以内など）に取得されたＧＰＳ測位に基づく位置情報が存在すると判定された場合、主制御部３１はステップＳ７で、位置情報取得履歴に登録されている、現在の時刻から遡って予め設定された所定の時間以内（例えば３０分以内など）に取得されたＧＰＳ測位に基づく位置情報を、携帯電話機１の現在地を低精度に示す位置情報である低精度位置情報に設定する。
【００６０】
一方、ステップＳ現在の時刻から遡って予め設定された所定の時間以内（例えば３０分以内など）に取得されたＧＰＳ測位に基づく位置情報が存在しないと判定された場合、主制御部３１はステップＳ８で、変復調回路部３９、送受信回路得４３、およびアンテナ４４を介して、図示せぬ基地局から、基地局の位置を示す基地局位置情報（基地局のCell IDベースの位置情報）を取得する。
【００６１】
なお、携帯電話機１は、例えば２秒から３秒間隔で基地局（図示せず）と通信を行い、基地局から、基地局の位置を示す基地局位置情報を取得する。
【００６２】
ステップＳ９において、主制御部３１は、取得された基地局位置情報を、携帯電話機１の現在地を低精度に示す位置情報である低精度位置情報に設定する。
【００６３】
ステップＳ１０において、主制御部３１は、記憶部４７に予め記憶されているメール送信先に関する情報であるメール送信先情報とともに、作成するメールの内容に関する情報である送信メールテキスト情報を読み出す。
【００６４】
このメール送信先情報には、緊急・非常事態発生時に緊急・非常事態が発生した旨を通知する送信先（例えば親などが所有する携帯電話機１のメールアドレスや、パーソナルコンピュータなどのメールアドレスなど）に関する情報が含まれている。また、送信メールテキスト情報には、緊急・非常事態発生時に緊急・非常事態が発生した旨を通知する際のテキストデータなどに関するデータが含まれている。
【００６５】
ステップＳ１１において、主制御部３１は、読み出されたメール送信先情報と送信メールテキスト情報と、設定された低精度位置情報とに基づいて、緊急・非常事態発生時にいち早く緊急・非常事態が発生した旨を通知するための速報メールを作成する。
【００６６】
例えば図６に示されるような速報メールが作成される。図６の例の場合、表題として「防犯ブザーが鳴っています！（速報）」が記述され、また、本文として「＊＊さんの携帯電話の防犯ブザーがなっています！この周辺にいます。［低精度の現在位置情報］＊＊＊＊。現在、ＧＰＳ測位中です。」が記述されている。すなわち、速報メールに記述されている位置情報が低精度の位置情報である旨と、現在、携帯電話機１の現在地を高精度に示すＧＰＳ測位に基づく位置情報が取得中である旨が記述されている。これにより、この速報メールを他の携帯電話機１などにより受信することで、例えば親などは、現在、ユーザに緊急・非常事態が発生しており、低精度ではあるものの、ユーザの大体の現在地を知ることができる。また、現在、携帯電話機１の現在地を高精度に示すＧＰＳ測位に基づく位置情報が取得中であることも知ることができる。
【００６７】
なお、低精度位置情報が過去のＧＰＳ測位に基づく位置情報である場合には、速報メールにはさらに、その低精度位置情報としてのＧＰＳ測位に基づく位置情報がいつ頃測位（取得）された位置情報であるのかが記述される。例えば図６に示されるように、「＊分前に測位した情報です。」などの旨が速報メールに記述される。
【００６８】
ステップＳ１２において、主制御部３１は、作成された速報メールを変復調回路部３９、送受信回路得４３、アンテナ４４、および基地局（図示せず）を介して、他の携帯電話機１や所定のパーソナルコンピュータなどに送信する。
【００６９】
これにより、ユーザに何らかの緊急・非常事態が発生した場合に、低精度ではあるものの、ユーザの大体の現在地に関する位置情報をいち早く、例えば親などに知らせることができる。より具体的には、通常、緊急・非常事態が発生した後、現在地を高精度に示すＧＰＳ情報の取得しようとすると、緊急・非常事態が発生した旨を報知するためのメールを送信するのに、例えば３０秒くらいの時間を要していた。これに対して、本発明においては、低精度ではあるものの、ユーザの大体の現在地に関する位置情報を含む速報メールを例えば１０秒程度の時間でいち早く送信することができる。
【００７０】
ステップＳ１３において、主制御部３１は、ＧＰＳ測位に基づく位置情報の取得処理が終了したか否かを判定し、ＧＰＳ測位に基づく位置情報の取得処理が終了したと判定するまで待機する。
【００７１】
ステップＳ１３においてＧＰＳ情報の取得処理が終了したと判定された場合、主制御部３１はステップＳ１４で、図示せぬＧＰＳ衛星からＧＰＳ情報（ＧＰＳ波）を受信し、受信されたＧＰＳ情報を用いることで携帯電話機１の現在地を示す位置情報（すなわち、ＧＰＳ測位に基づく位置情報）を新たに取得する。
【００７２】
ステップＳ１５において、主制御部３１は、新たに取得されたＧＰＳ測位に基づく位置情報を、現在地を高精度に示す位置情報である高精度位置情報に設定する。
【００７３】
ステップＳ１６において、主制御部３１は、読み出されたメール送信先情報と送信メールテキスト情報と、設定された高精度位置情報とに基づいて、緊急・非常事態発生時に緊急・非常事態が発生した場所を正確に通知するための本番メールを作成する。
【００７４】
例えば図７に示されるような本番メールが作成される。図７の例の場合、表題として「防犯ブザーが鳴っています！」が記述され、また、本文として「＊＊さんの携帯電話の防犯ブザーがなっています！ここにいます。連絡してください。［高精度の現在位置情報］＊＊＊＊。」が記述されている。すなわち、本番メールに記述されている位置情報が示す場所にまさにユーザが今現在存在しており、その場所で緊急・非常事態が発生している旨が記述されている。これにより、この本番メールを他の携帯電話機１などにより受信することで、例えば親などは、本番メールに記述されている位置情報が示す場所にまさにユーザが今現在存在しており、その場所で緊急・非常事態が発生していることを知ることができる。
【００７５】
ステップＳ１７において、主制御部３１は、作成された本番メールを変復調回路部３９、送受信回路得４３、アンテナ４４、および基地局（図示せず）を介して、他の携帯電話機１や所定のパーソナルコンピュータなどに送信する。
【００７６】
本発明の実施形態においては、緊急・非常事態発生時に、ユーザによる緊急・非常事態発生報知処理を開始するとの指示が受け付けられると、位置情報取得履歴を参照して、現在の時刻から遡って予め設定された所定の時間以内（例えば３０分以内など）に取得されたＧＰＳ測位に基づく位置情報が存在するか否かを判定し、現在の時刻から遡って予め設定された所定の時間以内（例えば３０分以内など）に取得されたＧＰＳ測位に基づく位置情報が存在すると判定された場合、現在の時刻から遡って予め設定された所定の時間以内（例えば３０分以内など）に取得されたＧＰＳ測位に基づく位置情報を、携帯電話機１の現在地を低精度に示す低精度位置情報に設定する一方、現在の時刻から遡って予め設定された所定の時間以内（例えば３０分以内など）に取得されたＧＰＳ測位に基づく位置情報が存在しないと判定された場合、基地局の位置を示す基地局位置情報を、携帯電話機１の現在地を低精度に示す低精度位置情報に設定することができる。
【００７７】
その後、記憶部４７に予め記憶されているメール送信先情報と送信メールテキスト情報、および低精度位置情報に基づいて、緊急・非常事態発生時に緊急・非常事態が発生した場所を正確に通知するための本番メールに先立って、緊急・非常事態発生時にいち早く緊急・非常事態が発生した旨を通知するための速報メールを作成し、作成された速報メールを他の携帯電話機１やパーソナルコンピュータなどに送信することができる。
【００７８】
また、緊急・非常事態発生時に、ユーザによる緊急・非常事態発生報知処理を開始するとの指示が受け付けられると、現在、図示せぬＧＰＳ衛星からＧＰＳ情報（ＧＰＳ波）を受信し、受信されたＧＰＳ情報を用いることで携帯電話機１の現在地を示す位置情報（すなわち、ＧＰＳ測位に基づく位置情報）を現在取得中であるか否かを判定し、図示せぬＧＰＳ衛星からＧＰＳ情報（ＧＰＳ波）を受信し、受信されたＧＰＳ情報を用いることで携帯電話機１の現在地を示す位置情報（すなわち、ＧＰＳ測位に基づく位置情報）を現在取得中であると判定された場合、ＧＰＳ測位に基づく位置情報の取得処理をキャンセルせずに継続するとともに、図示せぬＧＰＳ衛星からＧＰＳ情報（ＧＰＳ波）を受信し、受信されたＧＰＳ情報を用いることで携帯電話機１の現在地を示す位置情報（すなわち、ＧＰＳ測位に基づく位置情報）を現在取得中ではないと判定された場合、ＧＰＳ受信部を起動し、ＧＰＳ測位に基づく位置情報の取得処理を開始することができる。
【００７９】
そして、ＧＰＳ測位に基づく位置情報の取得処理が終了したと判定された場合、新たに取得されたＧＰＳ測位に基づく位置情報を、携帯電話機１の現在地を高精度に示す高精度位置情報に設定するとともに、記憶部４７に予め記憶されているメール送信先情報と送信メールテキスト情報、および位置情報に基づいて、緊急・非常事態発生時に緊急・非常事態が発生した場所を正確に通知するための本番メールを作成し、作成された本番メールを他の携帯電話機１やパーソナルコンピュータなどに送信することができる。
【００８０】
これにより、ユーザに何らかの緊急・非常事態が発生した場合に、低精度ではあるものの、ユーザの大体の現在地をいち早く例えば親などに知らせることができるとともに、その後にユーザの正確な現在地を追って知らせることができる。その結果、例えば親などは、ユーザに何らかの緊急・非常事態が発生していることをいち早く（リアルタイムに近い形で）知ることができる。従って、緊急・非常事態発生時における利便性を向上させることができる。
【００８１】
なお、本発明の実施形態において用いたＧＰＳ測位に基づく位置情報や基地局位置情報を、携帯電話機１の現在地を示す「位置情報」と定義する。
【００８２】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００８３】
また、本発明の実施形態において説明した一連の処理は、ソフトウェアにより実行させることもできるが、ハードウェアにより実行させることもできる。
【００８４】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００８５】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】図４の携帯電話機におけるメール送信処理を説明するフローチャート。
【図６】図４のステップＳ１１の速報メール作成処理により作成される速報メールの内容を示す図。
【図７】図４のステップＳ１６の本番メール作成処理により作成される本番メールの内容を示す図
【符号の説明】
【００８６】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…緊急用スイッチ、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４９…ＧＰＳ受信部。
【図１】
2008172453.tif 000003
【図２】
2008172453.tif 000004
【図３】
2008172453.tif 000005
【図４】
2008172453.tif 000006
【図５】
2008172453.tif 000007
【図６】
2008172453.tif 000008
【図７】
2008172453.tif 000009